(57)【特許請求の範囲】
【請求項１】
遊技盤が配設された本体枠に対し装飾枠が開閉可能に組み付けられると共に、該装飾枠に、遊技盤の前面を透視保護する透明板を支持枠内に組み付けた透視ユニットが裏側から着脱自在に配設され、前記遊技盤の前面に、遊技領域を画成する内レールと外レールとを備えた案内レールが配設され、前記外レールの下端と、前記本体枠の前面に設けた発射レールの上端との間に戻り球排出口が形成され、前記案内レールから発射レール側に戻る遊技球を戻り球排出口から排出するよう構成した遊技機において、
前記装飾枠の裏面に設けられた前記透視ユニットを支持するセット枠の下部を構成して該透視ユニットが載置される下部支持体に設けられ、互いに反対向きに突出形成された一対の支軸と、該支軸の夫々に対応して形成された一対の取付部を有し、該取付部に設けられた軸孔に挿入された該支軸によって前記セット枠に対して揺動可能に支持された防犯部材とを備え、
前記防犯部材は、前記本体枠に対して装飾枠を閉成した状態で前記透明板の裏側に臨んで、前記戻り球排出口の上方で透明板と内レールとの隙間を左右方向の所定長さに亘って塞ぐ不正防止位置と、本体枠に対して装飾枠を開放した状態で該装飾枠の裏側へ向けて回転することにより透明板の裏側から退避して前記セット枠に対する透視ユニットの着脱を許容する傾倒位置へ変位するよう構成され、
前記防犯部材は、前記対をなす取付部を互いに離間するように弾性変形可能に構成されて、該防犯部材を弾性変形して前記支軸が対応の軸孔に挿入され、
前記取付部は、前記支軸への取付端から前記軸孔の該取付端側の開口縁にかけて、対応する前記支軸の突出向きに凹むように形成された支軸通過部を備え、
前記下部支持体に、左右方向へ延在する突条部が、該下部支持体から後方へ突出して形成され、
前記防犯部材に、左右方向へ延在する段部が、前記不正防止位置において前記突条部の下端縁部に嵌合するよう形成された
ことを特徴とする遊技機。
【請求項２】
前記取付部は、前記支軸への取付端から前記軸孔にかけて前記支軸通過部の側方に沿って延在する支軸案内壁部が、対応する支軸側の面に設けられた請求項１記載の遊技機。
【請求項３】
前記支軸の突出端部には、一方の取付部の軸孔に対応する支軸を挿入した状態で、他方の取付部の取付端が当接するテーパ面が設けられ、前記防犯部材を前記支軸の突出方向と交差する方向へ移動することで、前記テーパ面に沿って取付部が変位されて前記支軸通過部に支軸が臨むよう構成された請求項１または２記載の遊技機。
【請求項４】
前記セット枠は、前記装飾枠に対して後方からネジで固定され、該セット枠を該装飾枠の後方から着脱可能な構成とした請求項１〜３の何れか一項に記載の遊技機。
【発明の詳細な説明】
【技術分野】
【０００１】
この発明は、本発明は、本体枠に開閉可能に組み付けられる装飾枠に、遊技盤と透視ユニットとの隙間からのワイヤ等の侵入を防止する防犯部材を配設した遊技機に関するものである。
【背景技術】
【０００２】
遊技機の一例であるパチンコ球(遊技球)を使用して遊技を行うパチンコ機は、その基本構成として、縦長方形の外枠の開口前面側に、各種の必要な遊技構成部材が搭載されて遊技盤を収容セットした中枠を開閉(横開き)および着脱可能に組み付けると共に、遊技盤の前面を透視保護するガラスユニットを組み付けた前枠を、中枠に対して開閉(横開き)および着脱可能に組み付けて１台単位で構成される。
【０００３】
前記遊技盤の前面に、所要の遊技領域を画成する内レールおよび外レールからなる案内レールが配設されると共に、前記中枠には発射レールが配設されている。そして、中枠に配設した操作ハンドルの操作により発射レールから打ち出したパチンコ球を、前記案内レールを介して遊技盤の遊技領域に導くよう構成されている。しかし、パチンコ球の打出力の不足により、遊技領域に到達せずに逆戻りするパチンコ球(いわゆる戻り球)が発生することがある。この戻り球は、外レールの下端と発射レールの上端との間に形成された戻り球排出口を介して、中枠に設けた下球皿に戻されるようになっている。
【０００４】
前述したように、戻り球排出口は下球皿に連通しているため、該戻り球排出口を悪用した不正行為が行われ易いことが問題となっている。具体的には、例えばワイヤ等の不正器具の先端部を、下球皿の球出口から戻り球排出口内に挿入させ、更に内レールと前枠のガラスユニットの間を通して遊技領域内に到達させる。そして、例えば始動入賞口の羽根部材等を不正器具の先端部で開放させて、パチンコ球を受け入れ易い状態にし、多くの賞球を獲得する不正行為が行われることがある。
【０００５】
この問題を解決するために、例えば特許文献１に開示のパチンコ機用の防犯部材が提案されている。この防犯部材は、その下縁および左右側縁を、前面枠(中枠)に開閉自在に組み付けたガラス枠(前枠)のフレームに設けた溝に差し込むことで、フレームに組み付けたガラス板の裏側に取り付けられる。そして、前面枠に対してガラス枠を閉成したときに、内レールとガラス板との隙間を当該防犯部材で塞ぐことで、不正器具の遊技領域への侵入防止を図っている。
【先行技術文献】
【特許文献】
【０００６】
【特許文献１】特開平６−１１４１４６号公報
【発明の概要】
【発明が解決しようとする課題】
【０００７】
特許文献１に開示の防犯部材は、前述したようにガラス板の裏側に臨むようにガラス枠に取り付けられているため、フレームに対してガラス板を交換等する場合は、該ガラス板の取り外しや取り付け時にはその都度防犯部材を取り外したり取り付ける必要があり、手間が掛かる問題が指摘される。また、ガラス板の交換等に際して取り外した防犯部材を、ガラス板を取り付けた後に取り付けるのを忘れることがある。更には、取り外した防犯部材を別の場所に置いておくことで、ガラス板を取り付けている間に無くしてしまうおそれもある。しかしながら、防犯部材が透視ユニットの着脱を妨げない構成であっても、防犯部材自体が取り付け難い構成であれば、パチンコ機に採用することが難しい。
【０００８】
すなわち本発明は、従来の技術に係る遊技機に内在する前記問題に鑑み、これらを好適に解決するべく提案されたものであって、取り付け易い防犯部材を備えた遊技機を提供することを目的とする。
【課題を解決するための手段】
【０００９】
前記課題を克服し、所期の目的を達成するため、本願の請求項１に係る発明の遊技機は、
遊技盤(20)が配設された本体枠(12)に対し装飾枠(13)が開閉可能に組み付けられると共に、該装飾枠(13)に、遊技盤(20)の前面を透視保護する透明板(30)を支持枠(31)内に組み付けた透視ユニット(14)が裏側から着脱自在に配設され、前記遊技盤(20)の前面に、遊技領域(20a)を画成する内レール(21)と外レール(22)とを備えた案内レールが配設され、前記外レール(22)の下端と、前記本体枠(12)の前面に設けた発射レール(27)の上端との間に戻り球排出口(26a)が形成され、前記案内レールから発射レール(27)側に戻る遊技球を戻り球排出口(26a)から排出するよう構成した遊技機において、
前記装飾枠(13)の裏面に設けられた前記透視ユニット(14)を支持するセット枠(33)の下部を構成して該透視ユニット(14)が載置される下部支持体(37)に設けられ、互いに反対向きに突出形成された一対の支軸(43,43)と、該支軸(43,43)の夫々に対応して形成された一対の取付部(54,64)を有し、該取付部(54,64)に設けられた軸孔(55,65)に挿入された該支軸(43,43)によって前記セット枠(33)に対して揺動可能に支持された防犯部材(50)とを備え、
前記防犯部材(50)は、前記本体枠(12)に対して装飾枠(13)を閉成した状態で前記透明板(30)の裏側に臨んで、前記戻り球排出口(26a)の上方で透明板(30)と内レール(21)との隙間を左右方向の所定長さに亘って塞ぐ不正防止位置と、本体枠(12)に対して装飾枠(13)を開放した状態で該装飾枠(13)の裏側へ向けて回転することにより透明板(30)の裏側から退避して前記セット枠(33)に対する透視ユニット(14)の着脱を許容する傾倒位置へ変位するよう構成され、
前記防犯部材(50)は、前記対をなす取付部(54,64)を互いに離間するように弾性変形可能に構成されて、該防犯部材(50)を弾性変形して前記支軸(43,43)が対応の軸孔(55,65)に挿入され、
前記取付部(54,64)は、前記支軸(43,43)への取付端から前記軸孔(55,65)の該取付端側の開口縁にかけて、対応する前記支軸(43,43)の突出向きに凹むように形成された支軸通過部(56,66)を備え、
前記下部支持体(37)に、左右方向へ延在する突条部(40)が、該下部支持体(37)から後方へ突出して形成され、
前記防犯部材(50)に、左右方向へ延在する段部(70)が、前記不正防止位置において前記突条部(40)の下端縁部に嵌合するよう形成されたことを要旨とする。
請求項１に係る発明によれば、防犯部材は、取付部の取付端から軸孔にかけて凹んだ支軸通過部が設けられて、対をなす取付部の取付端間の離間間隔が広くなるよう形成されているので、セット枠の下部を構成する下部支持体に防犯部材を取り付ける際に支軸を取付部の軸孔に挿入させ易い。すなわち、防犯部材をセット枠に取り付け易い。また、防犯部材の不正防止位置において、該防犯部材に形成した段部が下部支持体に形成した突条部の下端縁部に嵌合しているから、防犯部材と下部支持体との間からの不正器具の侵入も防止することができ、極めて高い防犯性能を発揮し得る。
【００１０】
請求項２に係る発明では、前記取付部(54)は、前記支軸(43)への取付端から前記軸孔(55)にかけて前記支軸通過部(56)の側方に沿って延在する支軸案内壁部(57)が、対応する支軸(43)側の面に設けられたことを要旨とする。
請求項２に係る発明によれば、支軸案内壁部を支軸に沿わせて防犯部材を変位することで、支軸が軸孔に案内されるので、防犯部材をより簡単に取り付けることができる。
【００１１】
請求項３に係る発明では、前記支軸(43,43)の突出端部には、一方の取付部(54,64)の軸孔(55,65)に対応する支軸(43)を挿入した状態で、他方の取付部(64,54)の取付端が当接するテーパ面(43a)が設けられ、前記防犯部材(50)を前記支軸(43)の突出方向と交差する方向へ移動することで、前記テーパ面(43a)に沿って取付部(54,64)が変位されて前記支軸通過部(56,66)に支軸(43)が臨むよう構成されたことを要旨とする。
請求項３に係る発明によれば、支軸の突出端部にテーパ面が設けられているので、取付部の軸孔に支軸を挿入し易く、防犯部材をより簡単に取り付けることができる。
【００１２】
請求項４に係る発明では、前記セット枠(33)は、前記装飾枠(13)に対して後方からネジ(N)で固定され、該セット枠(33)を該装飾枠(13)の後方から着脱可能な構成としたことを要旨とする。
請求項４に係る発明によれば、セット枠を装飾枠の後側から着脱することができるので、セット枠の交換が容易になる。
【発明の効果】
【００１４】
本発明に係る遊技機によれば、透視ユニットの取り付けや取り外し作業の妨げになることがなく、かつ無くしたり取り付け忘れを防止できる防犯部材を、簡単に取り付けることができる。
【図面の簡単な説明】
【００１５】
【図１】本発明の好適な実施例に係るパチンコ機を示す正面図である。
【図２】実施例のパチンコ機の概略斜視図であって、前枠を開放した状態を示す。
【図３】実施例の遊技盤の概略正面図である。
【図４】実施例の前枠を後側から示す概略斜視図であって、防犯部材が不正防止位置にある。
【図５】実施例の前枠を後側から示す概略斜視図であって、防犯部材が傾倒位置にある。
【図６】実施例の前枠の一部およびガラスユニットを分解状態で示す概略斜視図である。
【図７】実施例の前枠にガラスユニットを配設した状態で一部破断して示す要部斜視図である。
【図８】(ａ)は実施例の支持部材を示す背面図であり、(ｂ)は実施例の支持部材の底面図である。
【図９】実施例の中枠に対して前枠を閉成した状態において、前枠と防犯部材および遊技盤の位置関係を示す要部説明断面図である。
【図１０】実施例の前枠の要部背面図であって、防犯部材が不正防止位置にある。
【図１１】実施例の前枠の要部背面図であって、防犯部材が傾倒位置にある。
【図１２】実施例の防犯部材を示す正面図である。
【図１３】実施例の防犯部材を示す底面図である。
【図１４】(ａ)は図１２のＡ矢視図であり、(ｂ)は図１２のＢ矢視図である。
【発明を実施するための形態】
【００１６】
次に、本発明に係る遊技機につき、好適な実施例を挙げて、添付図面を参照しながら以下詳細に説明する。なお本実施例では、遊技機として、パチンコ球(遊技球)を遊技媒体として使用する一般的なパチンコ機を例にして説明する。なお、以下の説明において左・右とは、特に断りのない限り、図１に示すようにパチンコ機を正面から見た状態において指称するものとする。
【実施例】
【００１７】
図１に示すように、実施例に係るパチンコ機１０は、矩形枠状に形成されて遊技店の図示しない設置枠台に固定される固定枠としての外枠１１の開口前面側に、遊技盤２０(図２または図３参照)が着脱可能に保持された本体枠としての中枠１２が開閉および着脱可能に組み付けられている。中枠１２の前面側には、遊技盤２０を透視保護するガラスユニット(透視ユニット)１４を備えた装飾枠としての前枠１３が開閉可能に組み付けられると共に、前枠１３の下方にパチンコ球を貯留する下球皿１５が開閉可能に組み付けられる。そして、前枠１３の下部には、下球皿１５の上側に位置して、パチンコ球を貯留する上球皿１６が組み付けられており、前枠１３の開閉に合わせて上球皿１６も一体的に開閉するよう構成される。また、中枠１２には、下球皿１５の右側に位置するように回動操作可能なハンドル部材１７が配設されており、該ハンドル部材１７の回動操作によって中枠１２の下部に設けられた球発射装置１８(図２参照)により上球皿１６に貯留したパチンコ球が遊技盤２０の遊技領域２０ａ(図２または図３参照)に向けて打ち出されるようになっている。
【００１８】
前記遊技盤２０の前面(盤面)における左方位置には、図２または図３に示すように、左方に膨出する円弧状に形成した内レール２１および外レール２２が配設されると共に、該盤面の右方位置には、左端縁を右方に凹む円弧状に形成したコーナーレール２３が配設され、内レール２１と外レール２２とからなる案内レールおよびコーナーレール２３により略円形の遊技領域２０ａが画成される。遊技盤２０には、遊技領域２０ａに多数の遊技釘(図示せず)を植設して、遊技釘との接触によってパチンコ球に複雑な動きが付与される。また、遊技盤２０には、遊技領域２０ａに、パチンコ球が入賞可能な各種入賞装置や、図柄を変動表示可能な図柄表示装置等の遊技部品(何れも図示せず)が配設されて、該遊技領域２０ａを流下するパチンコ球の入賞装置への入賞により所要の遊技が行われる。そして、遊技盤２０には、遊技領域２０ａの最下部中央位置にアウト口２４が開設され、各種入賞装置に入賞することなく遊技領域２０ａを流下したパチンコ球を該アウト口２４を介して排出するよう構成される。
【００１９】
図２または図３に示すように、前記外レール２２は、帯状の金属薄板を円弧状に湾曲させた部材で構成されて、遊技盤２０の盤面における外周近傍に設けられる。内レール２１は、合成樹脂製の板材を円弧状に湾曲させた部材で構成されて、外レール２２の内方に離間して設けられる。ここで、内レール２１および外レール２２は、１個のパチンコ球が通過し得るよう離間し、該内レール２１と外レール２２とによって球発射装置１８から打ち出されたパチンコ球が通過する発射通路２５が画成される。なお、図３に示すように、外レール２２は、遊技盤２０の左下部からコーナーレール２３の上端部に接続する長尺に形成される一方、内レール２１はコーナーレール２３の下端部から遊技盤２０の左上部まで延在する寸法に設定され、発射通路２５は、遊技盤２０の下端部における左寄り位置(アウト口２４より左側)で下方に開口している。そして、実施例では、コーナーレール２３の内周面が、遊技領域２０ａを画成するレールとしても機能するよう構成されており、実施例で内側レールとは、内レール２１およびコーナーレール２３を含む意味で使用する。
【００２０】
図２に示すように、中枠１２における遊技盤２０が保持される遊技盤保持部の下端部には、前方へ突出する庇状部２６が形成されており、中枠１２に対して閉成された前枠１３の裏側に庇状部２６が当接するよう構成される。また、庇状部２６における発射通路２５の入口(下方開口部分)２５ａと対応する位置には、上下に開口する戻り球排出口２６ａが形成されている。球発射装置１８は、中枠１２における遊技盤保持部の下方に設けられた設置面部に配設されており、球発射装置１８から左方向へ向けて上方傾斜するよう配置された発射レール２７の傾斜上端部が、発射通路２５の入口２５ａを指向している。発射レール２７に沿って打ち出されたパチンコ球は、戻り球排出口２６ａを越えて発射通路２５まで到来し、外レール２２に沿って遊技盤２０の上部位置まで移動して遊技領域２０ａに発射される。なお、打出力が足りず、遊技領域２０ａに発射されることなく案内レール２１,２２から発射レール２７側に戻る戻り球は、戻り球排出口２６ａを介して下球皿１５に戻されるよう構成される。
【００２１】
図２に示すように、前枠１３は、所要の意匠形状に形成されてパチンコ機１０の前面を装飾する合成樹脂製の前枠カバー部材２８と、この前枠カバー部材２８の裏面側に配設される補強用の金属製の前枠ベース部材２９とから構成されて、前枠ベース部材２９の裏側に、ガラスユニット１４を設置するようになっている。前枠１３には、遊技盤２０に対応する位置に前後に開口する遊技盤窓口１３ａが開設されており、遊技盤窓口１３ａの下方に前側に張り出すように上球皿１６を一体形成している。
【００２２】
前記ガラスユニット１４は、前後方向に所要間隔だけ離間させた２枚のガラス板(透明板)３０,３０の外周部をガラス支持枠３１で保持して、単一部材として取り扱い得るよう構成される(図７参照)。図６に示すように、ガラスユニット１４は、その上縁および下縁が略水平方向に延在し、かつ左右両側縁が略鉛直方向に延在するよう形成されている。また、ガラスユニット１４の下端部における左右側部は、外方へ向かうにつれて上方に傾斜するよう形成されると共に、該ガラスユニット１４の上端部における左右側部は、外方へ向かうにつれて下方に傾斜するよう形成される。なお、以下の説明において、ガラスユニット１４における水平方向に延在する下端部を水平下端部１４ａと指称し、該水平下端部１４ａに対して傾斜する左右の端部を傾斜下端部１４ｂと指称すると共に、該ガラスユニット１４における水平方向に延在する上端部を水平上端部１４ｃと指称し、該水平上端部１４ｃに対して傾斜する左右の端部を傾斜上端部１４ｄと指称する。図６または図７に示すように、水平下端部１４ａおよび水平上端部１４ｃには、外方(水平下端部１４ａでは下方で、水平上端部１４ｃでは上方)に開口する凹部１４ｅが左右方向の所定長さに亘って凹設されている。傾斜下端部１４ｂ,１４ｂおよび傾斜上端部１４ｄ,１４ｄには、外方に突出する三角形状の固定板３２が夫々形成されている。
【００２３】
前記前枠ベース部材２９は、前枠カバー部材２８に略整合する大きさに形成された平板状部材であって、前枠カバー部材２８に対して裏側からネジ止め固定されている。図４または図５に示すように、前枠ベース部材２９の後面には、遊技盤窓口１３ａの下方位置に、ガラスユニット１４の下部を支持および固定する第１支持部材３４が配設されると共に、遊技盤窓口１３ａの上方位置に、ガラスユニット１４の上部側を固定する第２支持部材３５が配設されている。なお、実施例では、上下の支持部材３４,３５により、前枠１３に対してガラスユニット１４を支持するセット枠３３が構成される。
【００２４】
図６に示すように、第１支持部材３４は、前枠ベース部材２９に固定される支持板金３６と、該支持板金３６を前枠ベース部材２８との間に挟んで該前枠ベース部材２８にネジ止め固定される合成樹脂製の下部支持体３７とから構成される。支持板金３６は、左右方向に略水平に延在してガラスユニット１４の水平下端部１４ａに対向する水平支持片３６ａと、この水平支持片３６ａの左右端部に連接されて該水平支持片３６ａから離間するにつれて上方傾斜し、ガラスユニット１４の傾斜下端部１４ｂ,１４ｂに対向する左右の傾斜支持片３６ｂ,３６ｂとが一体的に折曲形成されている(図６参照)。また、水平支持片３６ａの後端部には、所定範囲に亘って上方へ向けて突出する突出片３６ｃを折曲形成されている。突出片３６ｃは、ガラスユニット１４の水平下端部１４ａを第１支持部材３４で支持した際に、ガラスユニット１４に形成した凹部１４ｅに挿入され、ガラスユニット１４の前後方向への移動を規制し得るようになっている。
【００２５】
図６に示すように、下部支持体３７は、支持板金３６に配設した際に水平支持片３６ａの上面を覆う第１被覆部３８と、各傾斜支持片３６ｂの上面を対応して覆う第２被覆部３９とを備え、ガラスユニット１４を第１支持部材３４に載置した際に、第１被覆部３８にガラスユニット１４の水平下端部１４ａが当接すると共に、左右の第２被覆部３９,３９にガラスユニット１４の傾斜下端部１４ｂ,１４ｂが対応して当接するようになっている。第１被覆部３８には、支持板金３６の突出片３６ｃに対応する部位に切欠部３８ａが形成されて、支持板金３６に下部支持体３７を配設した際に、突出片３６ｃが切欠部３８ａに臨んで遊技盤窓口１３ａ側に露出するようになっている。すなわち、下部支持体３７を支持板金３６に配設した状態で、突出片３６ｃをガラスユニット１４の凹部１４ｅに挿脱し得るよう構成される。第２被覆部３９,３９の第１被覆部３８に対する傾斜角度は、対応するガラスユニット１４の傾斜下端部１４ｂ,１４ｂの水平下端部１４ａに対する傾斜角度に略合致するよう設定され、下部支持体３７の上面は、ガラスユニット１４の下部の外郭形状に略整合するよう形成されている。
【００２６】
図６または図８に示すように、下部支持体３７には、第１被覆部３８における切欠部３８ａを挟む左右の側部の夫々に突条部４０,４０が設けられている。各突条部４０は、第１被覆部３８の上縁から後方へ突出すると共に、第１被覆部３８の上縁に沿って左右方向に延在するよう形成されている。図９に示すように、第１被覆部３８の後面は、突条部４０が設けられる部位において突条部４０とこの突条部の下方の面とが段差形状になるように構成されている。下部支持体３７には、前後に貫通形成されたネジ孔４１ａを有するネジ止部４１が後面から凹むように設けられ、後方からネジＮ(図１１参照)をネジ孔４１ａ介して前枠ベース部材２９に螺挿することで、該下部支持体３７が固定される。下部支持体３７には、第１被覆部３８に一対のネジ止部４１,４１が左右に離間して設けられ、各第２被覆部３９に１ヵ所ずつのネジ止部４１が設けられている(図８参照)。このように、下部支持体３７は、前枠１３の後面側からのネジＮの挿脱作業だけで着脱可能に構成されている。ここで、第１被覆部３８に設けられるネジ止部４１,４１は、後述する防犯部材５０が不正防止位置にあるときに覆われて(図１０参照)、ネジＮの挿脱が阻まれ、防犯部材５０が傾倒位置にあるときに後方へ露出して(図１１参照)、ネジＮの挿脱が許容される。
【００２７】
図６に示すように、下部支持体３６の左右端部には、ガラスユニット１４の傾斜下端部１４ｂ,１４ｂに形成した固定板３２,３２の後側に対応してロック部材４２,４２が設けられている。ロック部材４２は、下部支持体３６に対してロック位置と解除位置との間を回動可能に軸支されており、ロック位置に回動することで対応の固定板３２を保持してガラスユニット１４を支持し、解除位置に回動することで対応の固定板３２から退避してガラスユニット１４の着脱を許容するようになっている。なお、ロック部材４２は、ロック位置および解除位置の夫々において、凹凸の係合関係によって位置決め可能になっている。
【００２８】
前記下部支持体３６(セット枠３３)の下部には、防犯部材５０を支持する一対の支軸４３,４３が設けられている(図８参照)。一対の支軸４３,４３は、第１被覆部３８においてガラスユニット１４の支持面となる上面の下側に設けられており、両支軸４３,４３が互いに反対向きに突出するように形成されている。支軸４３,４３は、第１被覆部３８において支持板金３６の水平支持片３６ａの下側に前後に延在する側面に夫々設けられ(図１０参照)、該側面から横方向(右側面の支軸４３であれば右方、左側面の支軸４３であれば左方)へ延出している。すなわち、実施例の支軸４３,４３は、支持板金３６の水平支持片３６ａの下側において前枠ベース部材２９の後面に沿って水平に延出するよう形成され、これらの支軸４３,４３の突出端部が反対に向いている。各支軸４３は、第１被覆部３８の側面に、軸線が左右方向に延在するように一体形成された丸棒状の部分であって、突出端部に後方から前側に向けかうにつれて根元側から離れるように傾くテーパ面４３ａが形成されている(図８参照)。ここで、支軸４３の突出端部は、防犯部材５０を該支軸４３の軸線(延出方向)と交差する方向から取り付ける際に、防犯部材５０の後述する取付部５４,６４を支軸４３に当接させる側をＣ面加工してテーパ面４３ａが形成される。すなわち、実施例では、防犯部材５０が下部支持体３７(前枠１３)の後側から取り付けられるので、テーパ面４３ａが後方へ指向するように設けられる。
【００２９】
図５に示すように、第２支持部材３５には、ガラスユニット１４を第１支持部材３４で支持した際に、ガラスユニット１４の水平上端部１４ｃと平行に臨む水平枠部３５ａと、該水平枠部３５ａの左右両側に形成され、ガラスユニット１４の傾斜上端部１４ｄ,１４ｄと平行に臨む傾斜枠部３５ｂ,３５ｂとが設けられている。すなわち、第２支持部材３５の下面は、ガラスユニット１４の上部の外郭形状に略整合するよう形成されている。また、第２支持部材３５の左右端部には、ガラスユニット１４の傾斜上端部１４ｄ,１４ｄに形成した固定板３２,３２の後側に対応してロック部材４２,４２が設けられている。このロック部材４２は、下部支持体３７のロック部材４２と同様の構成である。
【００３０】
図４または図５に示すように、第１支持部材３４(セット枠３３)には、中枠１２に対して前枠１３を閉成した際に、内側レール(内レール２１およびコーナーレール２３)とガラスユニット１４のガラス板３０との隙間を塞いで、不正防止を図る防犯部材５０が揺動自在に配設されている。図１０〜図１４に示すように、防犯部材５０は、横長板状に形成された基部５１と、この基部５１の上端縁に形成された閉塞部５２と、この閉塞部５２の上端縁に形成された規制部５３とを備えており、全体が透明な合成樹脂材により成形されている。防犯部材５０は、下部支持体３７に設けられた一対の支軸４３,４３の夫々に対応して形成された一対の取付部５４,６４を有し(図１１参照)、これらの取付部５４,６４に夫々設けられた軸孔５５,６５に挿入された支軸４３,４３によって下部支持体３７に対して揺動可能に支持される。防犯部材５０では、基部５１の長手方向(左右方向)の両端部に前方に延出するように取付部５４,６４が一体形成されている。防犯部材５０は、対をなす取付部５４,６４を互いに離間するように弾性変形可能に構成されて、該防犯部材５０を弾性変形して支軸４３,４３を対応の軸孔５５,６５に挿入して取り付けたり、軸孔５５,６５から支軸４３,４３を抜いて取り外すようになっている。
【００３１】
前記防犯部材５０は、中枠１２に対して前枠１３を閉成した状態でガラス板３０の裏側に臨んで、戻り球排出口２６ａの上方でガラス板３０と内側レール２１,２３との隙間を左右方向の所定長さに亘って塞ぐ不正防止位置(図４または図１０参照)と、中枠１２に対して前枠１３を開放した状態で該前枠１４の裏側へ向けて回転することによりガラス板３０の裏側から退避してセット枠３３に対するガラスユニット１４の着脱を許容する傾倒位置(図５または図１１参照)へ変位するよう構成される。防犯部材５０は、不正防止位置において閉塞部５２がガラスユニット１４の裏側に臨むよう略鉛直姿勢となり(図９参照）、傾倒位置において閉塞部５２がガラスユニット１４の裏側から退避するよう後方へ倒れる。防犯部材５０は、傾倒位置において、ガラスユニット１４を支持するセット枠３３におけるガラスユニット１４の収容部分の裏側から完全に退き、ガラスユニット１４のセット枠３３に対する着脱を許容するようになっている。なお、防犯部材５０は、特に断りがないときは不正防止位置にある場合を基準として説明する。
【００３２】
前記閉塞部５２は、その上端縁が、図３に示すように、内側レール２１,２３の前端縁に沿う円弧状に形成されており、中枠１２に対して前枠１３を閉成したときに、閉塞部５２が内側レール２１,２３とガラスユニット１４のガラス板３０との隙間を塞ぐようになっている(図９参照)。具体的に閉塞部５２は、戻り球排出口２６ａの上方において、該排出口２６ａを挟む左右方向の所定長さに亘って延在し、その左側において内レール２１とガラス板３０との隙間を塞ぎ、その右側においてコーナーレール２３とガラス板３０との隙間を塞ぎ、戻り球排出口２６ａから通入された不正器具の遊技領域２０ａへの侵入を阻止するべく機能する。また、防犯部材５０を不正防止位置に位置決めした際に、基部５１が下部支持体３７の後面に当接(面接触)し、基部５１と下部支持体３７の後面との間に不正器具が浸入可能な隙間が生じないようにしてある。防犯部材５０には、基部５１の上端縁、すなわち閉塞部５２の連設部の前面に、その長手方向の全長に亘って段部７０が形成されて(図１２参照)、基部５１と段部７０および閉塞部５２の下端部とにより断面クランク状を呈するように構成される。そして、防犯部材５０を不正防止位置に位置決めした際に、図９に示すように、該段部７０が下部支持体３７の突条部４０の下端縁部に裏側から嵌合し、その嵌合部位が断面クランク状となることで、下部支持体３７と基部５１との間に仮に不正器具が通入されたとしても、該不正器具の更に上方への侵入を阻止するよう構成してある。なお、ガラスユニット１４のガラス板３０を介して前側に臨む閉塞部５２には、注意書き等が記載されたシールが貼り付けられている。
【００３３】
図４に示すように、前記防犯部材５０における前記閉塞部６０の裏面には、前記遊技盤２０におけるアウト口２４の左側から左端部までの間の上端縁に亘り、後方に所定長さで延出する規制部５３が形成されている。この規制部５３は、内側レール(実施例では内レール２１の一部)２１,２３の下面に沿う円弧状に形成されており、不正防止位置においては内レール２１の下面に沿って戻り球排出口２６ａの上方からパチンコ球の発射方向前側に向けて所定長さで延在し、該戻り球排出口２６ａから通入された不正器具の遊技領域２０ａへの侵入を防止するよう構成される。規制部５３の右端(アウト口２４側の端)には下方に向けて折曲する規制突部７１が設けられ、戻り球排出口２６ａから侵入した不正器具がコーナーレール２３の配設側に移動するのを防止するようになっている。
【００３４】
前記中枠１２は、前枠１３に対して左端縁を支点として開閉動するよう構成されている関係で、中枠１２に対して前枠１３を開閉するに際し、不正防止位置に位置決めされた防犯部材５０の規制部５３が内レール２１に干渉するおそれがある。そこで、実施例では規制部５３の左端部側の突出寸法を、左端に向かうにつれて小さくなるよう設定し、中枠１２に対して前枠１３を開閉するに際して規制部５３が内レール２１に干渉しないようにしてある。また、閉塞部５２の左側の上端部には、左方に延出する規制片５２ａが形成され、該規制片５２ａは、不正防止位置において外レール２２の前端に当接して、閉塞部５２が発射通路２５内に入り込むのを防止するべく機能している。
【００３５】
図７または図８に示すように、下部支持体３７の裏面における左右方向の略中央には、係合部としての係合突起４５が突設されている。また、防犯部材５０における基部５１の左右方向の略中央には、係合突起４５が係脱自在に係合する被係合部としての係合孔７２が穿設されている。そして、防犯部材５０を傾倒位置から不正防止位置に傾動した際に、合成樹脂製の基部５１が橈むことで係合孔７２に係合突起４５が容易に嵌挿されて基部５１に係合し、防犯防材５０を不正防止位置に保持するよう構成される(図９参照)。係合突起４５の係合を解除するには、基部５１を下部支持体３７の裏面から離間するように橈ませて係合孔７２から係合突起４５を離脱させればよく、この状態で防犯部材５０の傾倒位置への傾動変位が可能となる。
【００３６】
前記防犯部材５０の取付部についてより具体的に説明する。実施例の防犯部材５０は、一方の取付部５４の軸孔５５を対応する一方の支軸４３に挿入した状態で該防犯部材５０を弾性変形させつつ該防犯部材５０を支軸４３の突出方向と交差する方向(実施例では前方)へ移動することで、他方の取付部６４の軸孔６５に対応する他方の支軸４３を挿入させるよう構成されている。ここで、防犯部材５０は、左側の取付部５４(特に区別する場合は第１取付部という)が左側の支軸４３に先に支持され、右側の取付部６４(特に区別する場合は第２取付部という)が右側の支軸４３に対して後から取り付けられる。一対の取付部５４,６４は、第１被覆部３８において支軸４３,４３が設けられた左右の側面間の寸法に合わせて、基部５１に連なる根元側が左右に離間するように設けられ(図１２または図１３参照)、支軸４３,４３で支持された際に第１被覆部３８の下部を挟むようになっている(図１１参照)。
【００３７】
図１１〜図１４に示すように、各取付部５４,６４は、基部５１の前面から前方に突出形成されている。取付部５４,６４は、左右方向に臨む板面を有する板状片であって、支軸４３の軸線に合わせて左右方向に貫通する軸孔５５,６５が先端部に設けられている。また、各取付部５４,６４は、支軸４３への取付端(突出端)から軸孔５５,６５の該取付端側の開口縁にかけて、対応する支軸４３の突出向きに凹むように形成された支軸通過部５６,６６を備えている(図１３参照)。
【００３８】
前記第１取付部５４は、左側の支軸４３への取付端となる前端部を、基部５１に連なる根元側(後端)と比べて該支軸４３の突出向きである左方へ偏倚するように形成することで、第１支軸通過部５６が設けられており(図１３参照)、左側の支軸４３の突出端面を第１支軸通過部５６に当接させつつ第１軸孔５５に対して左側の支軸４３を挿脱することができる。すなわち、第１取付部５４は、第１軸孔５５における取付端側の開口縁が根元側の開口縁と比べて左方に位置しており、取付端側から支軸４３を第１軸孔５５に受け入れ易くなっている。実施例の第１取付部５４は、第１軸孔５５の途中部位からクランク状に屈曲するよう形成されて、右面(左側の支軸４３側の面)が第１支軸通過部５６と該第１取付部５４の根元側とで平面視において段状になっている(図１３参照)。また、第１支軸通過部５６は、右面(左側の支軸４３側の面)が第１軸孔５５から取付端に向かうにつれて左側の支軸４３の突出向きに傾くように形成されており、取付端側から支軸４３を第１軸孔５５により受け入れ易くなっている。
【００３９】
前記第１取付部５４は、支軸４３への取付端から第１軸孔５５にかけて第１支軸通過部５６の側方に沿って延在する支軸案内壁部５７が、対応する支軸４３側となる右面に設けられている(図１２または図１４(ａ)参照)。支軸案内壁部５７は、第１支軸通過部５６よりも対応する支軸４３の突出向きと反対側となるに右方に突出するように形成されており、第１支軸通過部５６の上方に庇状に張り出している。実施例の支軸案内壁部５７は、第１取付部５４における前端部上縁に設けられ、第１取付部５４の取付端から第１軸孔５５の取付側の開口縁を越えて該第１軸孔５５の上側の開口縁を規定するように延在している(図１４(ａ)参照)。すなわち、支軸案内壁部５７は、第１支軸通過部５６を通過する支軸４３を第１軸孔５５に案内するように構成されている。
【００４０】
前記第１取付部５４は、突出端から第１軸孔５５の該突出端側の開口縁を越えて該第１軸孔５５における下側の開口縁の途中部位までにかけて、対応する支軸４３の突出向きに凹むように形成されており、第１支軸通過部５６が下方へ広く設けられている(図１４(ａ)参照)。すなわち、第１軸孔５５における下側の開口縁は、途中部位から根元側が、第１支軸通過部５６よりも対応する支軸４３の突出向きと反対側となる右方に突出するように形成されており、この突出壁部５８も支軸４３を第１軸孔５５に導くよう機能するようになっている。なお、第１取付部５４では、支軸案内壁部５７、突出壁部５８および根元側の右面が揃っている(図１２参照)。図１４(ａ)に示すように、第１取付部５４は、取付端における下側の縁部が円弧状に面取されている。すなわち、第１支軸通過部５６は、前端部が円弧状に形成されて、該第１支軸通過部５６に当接する支軸４３に引っ掛かり難くなっている。また、第１取付部５４は、上縁に取付端から根元にかけて対応する支軸４３の突出向きに延出する補強片部５９が設けられている(図１３参照)。
【００４１】
前記第２取付部６４は、右側の支軸４３への取付端となる前端部を、基部５１に連なる根元側(後端)と比べて該支軸４３の突出向きである右方へ偏倚するように形成することで、第２支軸通過部６６が設けられており(図１３参照)、右側の支軸４３の突出端面を第２支軸通過部６６に当接させつつ第２軸孔６５に対して右側の支軸４３を挿脱することができる。すなわち、第２取付部６４は、第２軸孔６５における取付端側の開口縁が根元側の開口縁と比べて右方に位置しており、取付端側から支軸４３を第２軸孔６５に受け入れ易くなっている。実施例の第２取付部６４は、第２軸孔６５の途中部位からクランク状に屈曲するよう形成されて、左面(右側の支軸４３側の面)が第２支軸通過部６６と該第２取付部６４の根元側とで平面視において段状になっている(図１３参照)。また、第２支軸通過部６６は、左面(右側の支軸４３側の面)が第２軸孔６５から取付端に向かうにつれて右側の支軸４３の突出向きに傾くように形成されており、取付端側から支軸４３を第２軸孔６５により受け入れ易くなっている。
【００４２】
前記第２取付部６４は、突出端から第２軸孔６５の該突出端側の開口縁を越えて該第２軸孔６５における上下の開口縁の途中部位までにかけて、対応する支軸４３の突出向きに凹むように形成されており、第２支軸通過部６６が上下に亘って広く設けられている(図１４(ｂ)参照)。すなわち、第２軸孔６５における上下の開口縁は、途中部位から根元側が、第２支軸通過部６６よりも対応する支軸４３の突出向きと反対側となる左方に突出するように形成されており、この突出壁部６８,６８も支軸４３を第２軸孔６５に導くよう機能する。なお、第２取付部６４では、突出壁部６８,６８および根元側の左面が揃っている(図１２参照)。図１４(ｂ)に示すように、第２取付部６４は、取付端が円弧状に形成されている。すなわち、第２支軸通過部６６は、前端部が円弧状に形成されて、該第２支軸通過部６６に当接する支軸４３に引っ掛かり難くなっている。なお、第２取付部６４は、第１取付部５４のように補強片部５９が設けられず、第１取付部５４と比べて弾性変形し易く構成される。
【００４３】
〔実施例の作用〕
次に、実施例に係るパチンコ機１０の作用について説明する。前枠１５にガラスユニット１４を配設固定したもとで、傾倒位置の防犯部材５０を不正防止位置に向けて回転操作すると、基部５１が下部支持体３７の裏面に当接すると共に、閉塞部５２がガラスユニット１４のガラス板３０の裏側に臨む(図４参照)。このとき、下部支持体３７の係合突起４５が、基部６１の係合孔７２に嵌挿されて基部５１に係合し、防犯部材５０は不正防止位置に保持される。この状態で、中枠１２に対して前枠１３を閉成すると、図９に示すように、中枠１２に配設されている遊技盤２０の内側レール２１,２３とガラスユニット１４のガラス板３０との隙間を閉塞部５２が塞ぐ。すなわち、戻り球排出口２６ａの上方において、該排出口２６ａを挟む左右方向の所定長さに亘って、内レール２１およびコーナーレール２３とガラス板３０との隙間は閉塞部５２で塞がれるから、戻り球排出口２６ａから通入された不正器具の遊技領域２０ａへの侵入を阻止することができる。
【００４４】
前記中枠１２に対する前枠１３の閉成状態では、閉塞部５２に設けられている規制部５３が、発射通路２５内に入って、内レール２１の下面に沿って所定長さで延在する。従って、戻り球排出口２６ａを介して発射通路２５に通入された不正器具が、内レール２１の前端側に進入するのを規制部５３で防ぐことができる。更に、実施例の防犯部材５０は、図９に示すように、基部５１が下部支持体３７の裏面に当接すると共に、段部７０が下部支持体３７に形成された突条部４０の下端縁部に嵌合しているから、防犯部材５０と下部支持体３７の間からの不正器具の侵入も防止することができ、極めて高い防犯性能を発揮し得る。
【００４５】
なお、前記戻り球排出口２６ａから通入して不正器具を規制部５３に沿って右方に移動させた場合は、該規制部５３の右端に垂設された規制突部７１により不正器具の進行方向は下方に向けられるから、該規制部５３が設けられていない右側部においても不正器具の侵入を防止することができる。
【００４６】
実施例の防犯部材５０は、下部支持体３７に対して揺動自在に配設され、ガラスユニット１４の前枠１３に対する着脱に際し、該防犯部材５０を下部支持体３７から取り外す必要はない。従って、防犯部材５０を無くしたり取り付け忘れを防止し得る。また、防犯部材５０が傾倒位置に保持されている状態では、中枠１２に対して前枠１３を閉成することはできない。すなわち、防犯部材５０を正しく不正防止位置に保持した状態でなければ、前枠１３を中枠１２に対して閉成し得ないので、防犯部材５０は常に不正防止位置に保持されて、不正防止が図られた状態で遊技が行われる。そして、防犯部材５０は、下部支持体３７に対して着脱可能に構成されているから、破損等した場合は、該防犯部材５０を交換するだけで対応し得る。また、下部支持体３７についても、前枠１３の後側から着脱することができるので、該下部支持体３７の交換も容易である。
【００４７】
前記防犯部材５０の下部支持体３７への取り付けについて、一例を説明する。まず防犯部材５０は、左側の支軸４３を左側の第１取付部５４の第１軸孔５５に嵌め合わせる。この際、第１取付部５４の取付端部には、第１支軸通過部５６が設けられて、該第１取付部５４の根元側と比べて凹んでいるので、左側の支軸４３を第１支軸通過部５６に臨ませ易い。また、第１取付部５４には、第１支軸通過部５６の上方に取付端から第１軸孔５５にかけて延在する支軸案内壁部５７が設けられているので、支軸案内壁部５７を支軸４３に沿わせて防犯部材５０を前方へ変位することで、支軸４３を第１軸孔５５に案内することができる。ここで、第１支軸通過部５６は、取付端側が第１軸孔５５側と比べて対応の支軸４３の突出向きに開く傾斜面となっているので、支軸４３に第１支軸通過部５６を臨ませ易い。なお、支軸４３には、突出端部における後縁にテーパ面４３ａが設けられているので、支軸４３を第１軸孔５５に挿入させ易い。
【００４８】
前記第１取付部５４の第１軸孔５５を左側の支軸４３で支持した状態で、防犯部材５０を右側の支軸４３の突出方向と交差する方向である前方へ移動することで、当該支軸４３のテーパ面４３ａに沿って第２取付部６４が弾力的に変位されて第２取付部６４の第２支軸通過部６６に支軸４３が臨む。ここで、防犯部材５０は、左右の取付部５４,６４の夫々に、取付端から軸孔５５,６５にかけて凹んだ支軸通過部５６,６６が設けられて、対をなす取付部５４,６４の取付端間の離間間隔が広くなるよう形成されている。すなわち、防犯部材５０は、左右の取付部５４,６４が互いに離間するように弾性変形させたもとで、右側の支軸４３を第２軸孔６５に挿入する必要があるが、対をなす取付部５４,６４の取付端間の離間間隔が広く設定されているので、防犯部材５０の小さな弾性変形量で右側の支軸４３を第２軸孔６５に挿入することができる。すなわち、防犯部材５０を下部支持体３７に取り付け易い。しかも、第２支軸通過部６６は、取付端側が第２軸孔６５側と比べて対応の支軸４３の突出向きに開く傾斜面となっているので、右側の支軸４３に該第２支軸通過部６６を臨ませ易い。そして、支軸４３には、突出端部における後縁にテーパ面４３ａが設けられているので、支軸４３を第２軸孔６５に挿入させ易い。しかも、後から取り付けられる第２取付部６４の第２支軸通過部６６は、先に取り付けられる第１取付部５４の第１支軸通過部５６と比べて広く形成されているので、第１取付部５４が支持されて移動が制限されたもとでも右側の支軸４３に臨ませ易い。このように、実施例の防犯部材５０は、ガラスユニット１４の取り付けや取り外し作業の妨げになることがなく、かつ無くしたり取り付け忘れを防止でき、しかも下部支持体３７に対して簡単に取り付けることができる。
【００４９】
(変更例)
なお、遊技機の構成としては、実施例のものに限らず、種々の変更が可能である。
(１)実施例では、左側の取付部の軸孔を支軸に挿入した状態で、右側の取付部の軸孔に支軸を挿入する例を説明したが、両取付部を並行して支軸に対して取り付けても、右側の取付部を支軸に先に取り付けた後に左側の取付部を支軸に取り付けてもよい。
(２)実施例では、第１取付部と第２取付部とを異なる構成としたが、両取付部を実施例の第１取付部と同じ構成としても、両取付部を実施例の第２取付部と同じ構成としても、第１取付部と第２取付部の構成を入れかえてもよい。
(３)実施例では、取付部における支軸通過部の一側に支軸案内壁部を設けたが、支軸通過部の両側に支軸案内壁部を設けてもよい。
(４)実施例では、本発明を実施する遊技機としてパチンコ機を例示して説明したが、これに限定されるものではなく、アレンジボール機等の従来公知の各種遊技機に対しても好適に採用し得る。
【符号の説明】
【００５０】
１２  中枠(本体枠)
１３  前枠(装飾枠)
１４  ガラスユニット(透視ユニット)
２０  遊技盤
２０ａ  遊技領域
２１  内レール
２２  外レール
２６ａ  戻り球排出口
２７  発射レール
３０  ガラス板(透明板)
３１  ガラス支持枠(支持枠)
３３  セット枠
３７  下部支持体
４０  突条部
４３  支軸
４３ａ  テーパ面
５０  防犯部材
５４  第１取付部(取付部)
５５  第１軸孔(軸孔)
５６  第１支軸通過部(支軸通過部)
５７  支軸案内壁部
６４  第２取付部(取付部)
６５  第２軸孔(軸孔)
６６  第２支軸通過部(支軸通過部)
７０  段部
Ｎ  ネジ
【図１】
0005550186.tif 000002
【図２】
0005550186.tif 000003
【図３】
0005550186.tif 000004
【図４】
0005550186.tif 000005
【図５】
0005550186.tif 000006
【図６】
0005550186.tif 000007
【図７】
0005550186.tif 000008
【図８】
0005550186.tif 000009
【図９】
0005550186.tif 000010
【図１０】
0005550186.tif 000011
【図１１】
0005550186.tif 000012
【図１２】
0005550186.tif 000013
【図１３】
0005550186.tif 000014
【図１４】
0005550186.tif 000015